(57)【特許請求の範囲】
【請求項１】
熱可塑性合成樹脂製帯状体を一軸延伸して得られた複層のテープ状体からなり、
該テープ状体が、外層に蛍光を発光し且つ陽光下においては発色を視覚で認識することができない発光物質が分散し、その内層に前記発光物質の発光色と同系統の色調の顔料が分散してなる蛍光発光性テープ状体であり、
該蛍光発光性テープ状体を基布に植設して芝状体を形成してなることを特徴とする人工芝状体。
【請求項２】
前記蛍光発光性テープ状
体は、前記外層の外面に透明な熱可塑性合成樹脂が積層されてなることを特徴とする請求項１記載の人工芝状体。
【請求項３】
前記蛍光発光性テープ状体は、ループ状パイルの上端部を切断してなるカットパイルであることを特徴とする請求項１又は２記載の人工芝状体。
【請求項４】
前記蛍光発光性テープ状体は、前記内層の両面に前記外層が積層されてなると共に、前記両外層に蛍光を発光する発光物質が分散してなることを特徴とする請求項１〜３の何れかに記載の人工芝状体。
【請求項５】
前記蛍光発光性テープ状体は、単層からなる前記内層に前記両外層が直接又は透明な合成樹脂層のみを介装して積層されてなることを特徴とする請求項４記載の人工芝状体。
【発明の詳細な説明】
【０００１】
本発明は、人工芝状体、さらに詳しくは、蛍光物質の発光効率に優れた人工芝状体に関する。
【０００２】
【従来の技術】
近年、ゴルフ練習場が夜間にも開場されて、夜間に練習する風景が多くみられるようになっている。しかし、夜間のゴルフ場においては、グリーンに照明が照射されても離れた位置からはグリーンが見え難く、ホールの位置を確認することが難しいため、夜間においても容易に見ることができるように改良することが要請されている。
【０００３】
また、夜間工事場、河川、道路等危険が伴うところが多々あり、このような場所には、夜間においても明瞭に看視でき、注意を喚起し得る標識の需要が増加している。
【０００４】
かかる要請に応じるためには、夜間に発光する人工芝、標識が有力となる。
夜間に発光する材料として、熱可塑性合成樹脂に蛍光発光物質を分散して糸、ロープ、ネット、芝生等として使用する試みが行なわれている（特開平９−１１１５３１）。
【０００５】
しかし、蛍光発光物質のみを添加したものは、蛍光発光物質の発光は微弱であるため昼間においては視覚で認識することができず、標識が単に白濁物質として見え、グリーンの芝生あるいは標識としての機能を果たし得ない問題がある。
【０００６】
これに対しては、蛍光発光物質と共に同色調の顔料を添加して昼間においても同色に見えるようにすることにより、かかる欠陥を解決することも考えられている。
【０００７】
しかし、熱可塑性合成樹脂に蛍光発光物質と同時に顔料を添加した場合、入射する紫外線を顔料が遮断し、また発光した蛍光を隠蔽するために蛍光が弱くなり、その機能が低下する問題がある。
【０００８】
このため、昼間においても夜間においても同じ様に見え、かつ、蛍光の発光が強く、夜間においても明瞭に看視し得る標識等の開発が要請されている。
【０００９】
【発明が解決しようとする課題】
本発明は、夜間、昼間を問わず同様に看視され、かつ、蛍光の発光が強く夜間においても明瞭に認識し得る人工芝状体を提供するものである。
【００１０】
【課題を解決するための手段】
本発明は、上記課題を解決するために鋭意検討した結果なされたもので、熱可塑性合成樹脂製帯状体を一軸延伸して得られた複層のテープ状体からなり、外層に蛍光を発光し且つ陽光下においては発色を視覚で認識することができない発光物質が分散し、その内層に前記発光物質の発光色と同系統の色調の顔料が分散してなる蛍光発光性テープ状体を基布に植設して芝状体を形成してなることを特徴とする人工芝状体を提供するものである。
【００１３】
【発明の実施の形態】
本発明の蛍光発光性テープ状体は、外層に蛍光を発光する発光物質が分散され、その内層に前記発光物質の発光色に同系統の顔料が分散された複層の熱可塑性合成樹脂製帯状体を一軸延伸することによって得られる。
【００１４】
すなわち、蛍光発光性テープ状体１は、図１に示すように、芯材となる内層２の両面に外層３ａ、３ｂが積層され外層には蛍光を発光する発光物質が添加分散され、内層２には前記発光物質の発光色と同系統の顔料が添加分散される。
【００１５】
内層２を形成する合成樹脂としては、延伸効果の大きい樹脂、一般には結晶性樹脂が用いられ、高密度ポリエチレン、ポリプロピレン、エチレン・プロピレンブロック共重合体等のポリオレフィン、ポリエチレンテレフタレート、ポリブチレンテレフタレート等のポリエステル、ナイロン６、ナイロン６６のポリアミド等を用いることができる。中でも加工性と経済性からポリエチレン、ポリプロピレン等のポリオレフィンが望ましい
外層３ａ、３ｂを形成する合成樹脂としては、上記の合成樹脂の他に高圧法低密度ポリエチレン、線状低密度ポリエチレンを使用することができる。
【００１６】
外層３ａ、３ｂに添加分散する蛍光を発光する発光物質としては、特に制限はなく、目的に応じて自体公知の蛍光発光物質を使用することができ、例えば、ハロリン酸カルシウム、：Ｓｂ：Ｍｎ、Ｚｎ2ＳｉＯ4：Ｍｎ、ＺｎＣｄＳ：Ａｇ、Ｚｎ3（ＰＯ4）2：Ｍｎ、ＺｎＳ：Ｐｂ、ＳｒＳ：Ｓｍ：Ｅｕ：Ｂｉ、その他有機蛍光顔料を使用することができる。
【００１７】
中でも好ましくは、青色としてはＢａＭｇ2Ａｌ10Ｏ27：Ｅｕ、緑色としてはＢａＭｇ2Ａｌ10Ｏ27：ＥｕＭｎ、赤色としては、Ｙ2Ｏ2Ｓ：Ｅｕが使用される。これらの発光物質の添加量は、０．５〜１０．０重量％、好ましくは１．０〜８．０重量％程度が適当である。
【００１８】
内層２に配合される顔料としては、黄鉛、クロムバーミリオン、亜鉛黄、バリウム黄、紺青、銀朱、リトポン、ベンガラ、鉄黒、チタンイエロー、コバルトブルー、群青、金属粉、その他フタロシアニン系、キナクリドン系等の有機顔料を使用することができるを使用することができ、また、これら顔料と共に硫酸バリウム、硫酸カルシウム、酸化亜鉛、チタンホワイト、炭酸カルシウム、炭酸マグネシウム、珪酸カルシウム、クレー、マイカ等を使用することができる。
【００１９】
これらの顔料は、発光物質から発光される蛍光の色調と同系統の色調となるように調合して配合される。
【００２０】
なお、本発明において、同系統の色調とは、似た印象を与える色調であることを意味し、精度の高い同一性は必要とするものでない。
【００２１】
顔料は、蛍光を発光する発光物質が配合された外層３ａ、３ｂの内側の層、好ましくは、発光物質が配合された層に隣接する内側の内層２に配合される。しかし、内層２と外層３ａ、３ｂ間に透明な合成樹脂層を介装することを排除するものではない。
【００２２】
内層２、外層３を形成する熱可塑性合成樹脂には、必要に応じて各種の添加材を配合することができ、例えば、フェノール系、有機ホスファイト系、ホスナイトなどの有機リン系、チオエーテル系等の酸化防止剤；ノニオン系、カチオン系、アニオン系等の帯電防止剤；ビスアミド系、ワックス系、有機金属塩系等の分散剤；アルカリ土類金属塩のカルボン酸塩系等の塩素補足剤；アミド系、ワックス系、有機金属塩系、エステル系等の滑剤；ヒドラジン系、アミンアシド系等の金属不活性剤；含臭素有機系、リン酸系、三酸化アンチモン、水酸化マグネシウム、赤リン等の難燃剤；金属イオン系などの無機、有機抗菌剤等が挙げられる。
【００２３】
内層２、外層３ａ、３ｂを形成する樹脂組成物は、それぞれ、これらの成分を必要に応じて適宜配合し、ヘンシェルミキサー、スーパーミキサー、Ｖブレンダー、タンブラーミキサー、リボンミキサー、バンバリーミキサー、ニーダーブレンダー、一軸又は二軸の押出機等の通常の混合又は混練機にて混合或いは溶融混練された後、フィルム状に成形される。
【００２４】
内層２と外層３ａ、３ｂの積層は、内層２を形成するフィルムと外層３ａ、３ｂを形成するフィルムをそれぞれ成形した後、熱ロールで圧着することによって行なうことができ、また、一方の組成物をフィルム状に成形した後、該フィルム上に他の組成物を溶融押出しすることによってラミネートすることもできる。さらに、内層２を形成する樹脂組成物と外層３ａ、３ｂを形成する樹脂組成物を共押出しすることによって積層することもできる。
【００２５】
成形されたフィルムは、所定幅にスリットした後で、あるいはスリットする前に、延伸装置を用いて縦方向に延伸される。
【００２６】
なお、本発明においては、目的に応じて、図２に示すように、蛍光を発光する発光物質が配合された外層３ａ、３ｂの外側に保護層４ａ、４ｂを形成することができ、また、図３に示すように、内層２の中心部に補強層５を介装することができる。
【００２７】
保護層４ａ、４ｂ、補強層５は、内層２及び外層３ａ、３ｂと同様の合成樹脂を使用することができ、発光物質あるいは顔料の添加を省略し、あるいは、配合割合を少なくして用いられる。
【００２８】
なお、本発明においては、発光物質を内層２に添加することを排除するものでなく、その一部を内層２に添加することができるが、発光物質の８０重量％以上を外層３ａ、３ｂに添加することが望ましい。顔料についても同様であって、顔料の８０重量％以上を内層２に添加することが望ましい。
【００２９】
積層された熱可塑性合成樹脂フィルムは、所定幅にスリットされる前に、又は、スリットされた後で、一軸延伸される。延伸方法としては、熱ロールによる延伸、熱板による延伸、熱風炉内のロールによる延伸等によって行なうことができる。延伸倍率は、３〜１２倍、好ましくは５〜１０倍程度が適当である。
【００３０】
延伸された積層フィルムは、必要に応じてスリットすることによって蛍光発光性テープ状体１とされる。
【００３１】
蛍光発光性テープ状体１は、そのまま標識等として使用することができる。しかし、一般には、蛍光発光性テープ状体１は加工されて使用される。テープ状体１の加工は、綱成、編組、編網、織成することによって、綱、組紐、網、織布、その他布状体として使用される。本発明において布状体は、パイル糸が植生されたものを含み、カーペット状体を含むものとする。
【００３２】
また、蛍光発光性テープ状体１は人工芝１０として使用することができる。人工芝１０を形成するときは、図４に示すように、基布８に蛍光発光性テープ状体１をタフテイングすると共に裏面にＳＢＲ等のバッキング剤９を塗布してパイル糸を固定することによって、人工芝とすることができる。タフティングされたパイル糸はループ状パイルとしてそのまま使用することができるが、ループ状パイルの上端部を切断してカットパイルとすることもできる。
【００３３】
こうして得られた蛍光発光性テープ状体１、綱、組紐、網、織布、その他布状体は、立ち入り禁止区域の仕切り、危険個所の注意喚起表示等の標識として使用することができ、また、人工芝は夜間に使用されるゴルフ練習場のグリーン、球技場のライン表示、その他のゾーン表示として使用することができる。これら標識、人工芝は、夜間には、紫外線燈、ブラックライト等を照射することによって、環境を壊すことなく、くっきりと映し出すことができる。
【００３４】
【発明の効果】
本発明は、夜間、昼間を問わず同様に看視することが可能で、また、蛍光の発光が強く夜間においても明瞭に認識し得る蛍光発光性テープ状体、標識体及び人工芝状体を得ることができる。
【図面の簡単な説明】
【図１】本発明蛍光発光性テープ状体の一例を示す縦断面図
【図２】本発明蛍光発光性テープ状体の他の例を示す縦断面図
【図３】本発明蛍光発光性テープ状体のさらに他の例を示す縦断面図
【図４】人工芝の例を示す縦断面図
【符号の説明】
１：合成樹脂製シート
２：内層
３：外層
４：保護層
５：補強層
【図１】
0004658367.tif 000002
【図２】
0004658367.tif 000003
【図３】
0004658367.tif 000004
【図４】
0004658367.tif 000005